(57)【要約】  ハチの巣への毒餌剤の運搬を促進させる方法およびハチの巣を早期に崩壊させる方法を提供することを課題とする。解決手段として、毒餌剤の糖度（Ｂｒｉｘ）を４０以上８３未満の範囲とすることを特徴とする、ハチによる前記毒餌剤の、巣への運搬を促進させる方法を提供する。【特許請求の範囲】
【請求項１】
毒餌剤の糖度（Ｂｒｉｘ）を４０以上８３未満の範囲とすることを特徴とする、ハチによる前記毒餌剤の、巣への運搬を促進させる方法。
【発明の詳細な説明】
【技術分野】
【０００１】
本発明は、ハチの巣への毒餌剤の運搬を促進させる方法に関する。
【背景技術】
【０００２】
近年、ハチによる被害が増大し問題となっている。日本において約３０００種のハチが知られており、そのうち刺咬性の強い肉食系ハチは約２０種といわれている。肉食系ハチの中でも、スズメバチやアシナガバチ等のスズメバチ科に属するハチは攻撃性の強い種であり、刺咬されるとアナフィラキシーショックを引き起こすほか、毒針の構造上複数回の攻撃が可能であるため、駆除要望が非常に高い害虫種の１つであり、その駆除に際し、速効性が求められている。
肉食系ハチは、民家の軒下や天井裏に営巣することもあり、都市部では、人の居住区域と肉食系ハチの活動範囲が重複しているため、刺咬による被害が多発する傾向にある。肉食系ハチは、好戦的であるため、人が知らずに巣に接近したために攻撃され、被害に遭う場合もある。例えば、肉食系ハチに刺咬されたことが原因で死亡する人の数は、毎年１０〜２０人程度報告されている。【０００３】
現在のハチの駆除方法としては、殺虫活性成分を含有する液剤またはエアゾール剤を、ハチに直接噴霧して駆除するタイプのものが一般的であり、速効性を有するピレスロイド系殺虫剤などを有効成分として含有するエアゾール剤が多く提案されている（例えば、特許文献１〜３等）。しかしながら、これらのエアゾール剤を使用しても、各個体に十分量を噴霧することができない場合や、殺虫効果が発現するまでの時間に、興奮状態となったハチが警戒フェロモンを発散し、より多くの興奮したハチを呼び寄せてしまい、これらのハチに攻撃されることもあった。さらに、液剤またはエアゾール剤は、噴霧されたハチを駆除することはできるものの、巣の中にいる多くのハチを駆除することはできず、再度被害が発生することを抑止できないという問題もあった。
このような状況から、液剤またはエアゾール剤以外のハチの駆除方法として、ハチに毒餌剤を巣に持ち帰らせ、巣の中にいるハチを駆除し、巣を崩壊させるという方法に期待が寄せられている。
【先行技術文献】
【特許文献】
【０００４】
【特許文献１】特開２０１７−１７８７９３号公報
【特許文献２】特開２０１５−０９３８４６号公報
【特許文献３】特開２０１１−１４４１５１号公報
【発明の概要】
【発明が解決しようとする課題】
【０００５】
毒餌剤によるハチ駆除効果を高めるには、喫食性を高めることが有効である。ハチはエサを喫食したあと帰巣し、巣の中にいる他のハチに口移しでエサを与える習性がある。このため、毒餌剤を喫食したハチに毒餌剤を巣へ運搬させ、他のハチに毒餌剤の殺虫効果を効率的に伝播させることによりハチの巣を崩壊させる効果を高めることができる。
そこで、本発明は、ハチの巣への毒餌剤の運搬を促進させること、さらにはハチの巣を早期に崩壊させることを課題としている。
【課題を解決するための手段】
【０００６】
本発明者は、上記課題を解決するために鋭意研究を重ねた結果、毒餌剤の糖度（Ｂｒｉｘ）を４０以上８３未満の範囲とすることにより、ハチの喫食性を高め、ハチの巣への毒餌剤の運搬を促進出来ること、さらには、ハチの巣を早期に崩壊させ得ることを見出し、上記課題を解決するに至ったものである。【０００７】
本発明は、具体的には次の事項を要旨とする。
１．毒餌剤の糖度（Ｂｒｉｘ）を４０以上８３未満の範囲とすることを特徴とする、ハチによる前記毒餌剤の、巣への運搬を促進させる方法。
【発明の効果】
【０００８】
本発明によれば、毒餌剤の糖度（Ｂｒｉｘ）を４０以上８３未満の範囲とすることにより、ハチの喫食性が高まり、ハチの巣への毒餌剤の運搬を促進させることが出来るため、ハチに対する高い駆除効果を発揮し、ハチの巣全体を効率的に崩壊させることができ、有用である。また、毒餌剤の糖度（Ｂｒｉｘ）を４０以上とすることにより、空気との接触が大きな担持体にこの毒餌剤を含浸、付着または塗布させた場合においても、カビ等の発生が大きく低減され、毒餌剤の腐敗が抑制されるので、ハチに対する駆除効果が低下しないという効果が得られる。
さらに、糖度（Ｂｒｉｘ）４０以上８３未満の範囲の毒餌剤を、ハチの巣から１メートルより離れ、かつ、ハチの動線から３メートル以内の範囲に配置することにより、当該毒餌剤をハチが新しい餌もしくは新たな餌場として早い時点で認識するため、結果として、ハチの巣全体を早期に崩壊させることができる。なお、本発明における、ハチの巣全体を早期に崩壊させることの「早期」とは、毒餌剤を上記範囲に配置してから２週間以内を意味する。
【図面の簡単な説明】
【０００９】
【図１】本発明における毒餌剤を収納する、ハチ毒餌剤容器の具体的態様のうち吸液性部材を除いた構成の分解斜視図である。
【図２】図１に示すハチ毒餌剤容器の中蓋及び傘を取り外した状態を示す斜視図である。
【発明を実施するための形態】
【００１０】
以下、本発明について詳細に説明する。
本発明は、毒餌剤の糖度（Ｂｒｉｘ）を４０以上８３未満の範囲とすることを特徴とするものである。
＜糖度（Ｂｒｉｘ）＞
本発明における糖度（Ｂｒｉｘ）とは、２０℃における糖用屈折計の示度であり、ハチ駆除に使用する際の毒餌剤全体を、デジタル屈折計ＰＡＬ−１（アタゴ社製）を使用して２０℃で測定した数値を意味する。デジタル屈折計ＰＡＬ−１（アタゴ社製）の測定範囲は０．０〜５３．０（Ｂｒｉｘ）であるため、糖度（Ｂｒｉｘ）が５３．０より高いものについては、イオン交換水で１０倍に希釈して測定し、その数値を１０倍に換算した数値とした。また、液状製剤以外の場合は、イオン交換水で１０倍に希釈して測定し、測定値を１０倍した数値を糖度とした。
本発明における毒餌剤の糖度（Ｂｒｉｘ）は、４０以上とするものであるが、５０以上がより好ましく、６０以上がさらに好ましい。毒餌剤の糖度（Ｂｒｉｘ）の上限値は８３未満とするものである。
本発明は、毒餌剤の糖度（Ｂｒｉｘ）を４０以上とすることにより、ハチの喫食性を向上させるのみならず、ハチがその毒餌剤を巣に運搬する行動を促進させることが出来る。これにより、運搬された毒餌剤は巣内にいる他のハチに与えられ、巣全体に当該毒餌剤が伝播し、巣が崩壊するという優れた駆除効果を発揮するものである。
糖度（Ｂｒｉｘ）を４０以上８３未満の範囲とすることにより、巣への運搬が促進されることは今回初めて得られた知見である。ハチを巣から毒餌剤に誘引し、毒餌剤を巣内に持ち帰らせることにより、最終的に、巣全体を崩壊させることができる。
【００１１】
＜ハチ＞
本発明における駆除対象となるハチは、スズメバチ科（Ｖｅｓｐｉｄａｅ）に属するハチを主な対象とするものであるが、アリガタバチ類、クマバチ、ベッコウバチ、ジガバチ、ドロバチ等の膜翅目害虫に属するものが挙げられる。中でも、スズメバチ科ハチとしては、スズメバチ亜科（Ｖｅｓｐｉｎａｅ）およびアシナガバチ亜科（Ｐｏｌｉｓｔｉｎａｅ）に属するハチを挙げることができる。
スズメバチ亜科に属するハチとしては、例えば、オオスズメバチ、キイロスズメバチ、コガタスズメバチ、モンスズメバチ、ヒメスズメバチ、チャイロスズメバチ、クロスズメバチ、シダクロスズメバチ、ヤドリスズメバチ、ツマアカスズメバチなどを挙げることができる。
また、アシナガバチ亜科に属するハチとしては、例えば、キアシナガバチ、セグロアシナガバチ、フタモンアシナガバチ、トガリフタモンアシナガバチ、ヤマトアシナガバチ、キボシアシナガバチ、コアシナガバチ、ヤエヤマアシナガバチ、ムモンホソアシナガバチ、ヒメホソアシナガバチなどを挙げることができる。
【００１２】
＜糖類＞
本発明における毒餌剤は、糖度（Ｂｒｉｘ）を４０以上８３未満の範囲とするため、上白糖、三温糖、黒糖など砂糖類、水あめ、ブドウ糖などでんぷん糖類、はちみつ、糖蜜、乳酸製品（乳酸菌飲料等）、果実、果実加工品、果汁、果汁飲料などを配合し、毒餌剤全体の糖度を調整することが好ましい。これらは、単独もしくは２種以上を混合したもの何れも用いることができる。
本発明における毒餌剤は、廃糖蜜を使用して糖度（Ｂｒｉｘ）を４０以上８３未満の範囲とすることも好適である。廃糖蜜は、スズメバチやアシナガバチといった肉食系ハチを選択的に誘引することができ有用である。ここで、肉食系ハチとは、ミツバチなど非肉食系ハチや他の肉食系ハチ、さらに他の昆虫などを餌とする肉食のハチを意味する。廃糖蜜は、香気成分であるフルフリルアルコール、フルフラール、ソトロンなどを含有する。
【００１３】
＜その他の誘引成分＞
本発明における毒餌剤は、上記成分以外に公知の誘引成分と組み合わせて使用することができる。公知の誘引成分としては、例えば、バルサミコ酢、リンゴ酢、米酢、玄米酢、粕酢、大豆酢、黒酢、ワインビネガー、すだち酢、赤酢、柿酢、麦芽酢、紫イモ酢、サトウキビ酢等の酢、果実酒、ビール、日本酒、焼酎、ウィスキー、ブランデー、ウォッカ、ラム、ジン、テキーラ、紹興酒、白酒、老酒等の酒類、酒粕、魚介類、魚介類加工品、魚介類抽出物、食肉、食肉加工品、食肉抽出物、香料等をベースとしたものであってもよい。これらの誘引成分の中でも、特に液体のものが好ましい。さらに、グリセリン等の脂肪族多価アルコール、ソルビトール等の糖アルコール、キサンタンガム等の増粘多糖類等の保湿成分を含ませれば、長期にわたり誘引成分の効能を発揮させることができる。
【００１４】
＜殺虫剤＞
本発明における毒餌剤は、公知の殺虫剤と組み合わせて使用することにより、喫食したハチはもちろんのこと、巣内にいるハチを確実に駆除できる駆除薬剤とすることができる。併用できる公知の殺虫剤としては、例えば、天然ピレトリン、アレスリン、レスメトリン、フラメトリン、プラレトリン、テラレスリン、フタルスリン、フェノトリン、ペルメトリン、シフェノトリン、サイパーメスリン、トランスフルトリン、メトフルトリン、プロフルトリン、イミプロトリン、エンペントリン、エトフェンプロックス、シラフルオフェン、メペルフルトリン、ジメフルトリン等のピレスロイド系化合物；プロポクスル、カルバリル等のカーバメイト系化合物；フェニトロチオン、ダイアジノン、テトラクロロビンホス、ＤＤＶＰ等の有機リン系化合物；メトキサジアゾン等のオキサジアゾール系化合物；フィプロニル等のフェニルピラゾール系化合物；アミドフルメト等のスルホンアミド系化合物；イミダクロプリド、ジノテフラン等のネオニコチノイド系化合物；ピリプロキシフェン、メトプレン、ハイドロプレン等の昆虫幼若ホルモン様化合物；スルフルラミド等の酸化的リン酸化脱共役剤；プレコセン等の抗幼若ホルモン様化合物；ノバルロン、ジフルベンズロン、エトキサゾール等のキチン合成阻害剤；ヒドラメチルノン等のアミジノヒドラゾン系化合物；フィトンチッド、ハッカ油、オレンジ油、桂皮油、丁子油等の殺虫精油類等の各種殺虫剤を挙げることができ、さらに、サイネピリン、ピペロニルブトキサイド等の共力剤も併用することができる。中でも、ハチが嫌がる忌避性が少なく、かつ、遅効性の殺虫剤、例えば、ダイアジノン、テトラクロロビンホス、スルフルラミド、フィプロニル、ヒドラメチルノンが、本発明の毒餌剤に配合する殺虫剤として適している。
【００１５】
また、本発明の毒餌剤に配合する場合は、水溶性が高いものが製剤上好ましい場合がある。例えば、アセフェート、バミドチオン、メチダチオン（ＤＭＴＰ）、フェノブカルブ（ＢＰＭＣ）、エチオフェンカルブ、カルタップ、チオシクラム、イミダクロプリド、チアクロプリド、シロマジン、ホスチアゼート、アセタミプリド、チアメトキサム、カルバリル（ＮＡＣ）、クロチアニジン、ピメトロジン、ジノテフラン等が挙げられる。これらの中でも、例えば、ジノテフラン（２０℃における水溶解度：約５４０００ｐｐｍ）、チアメトキサム（２０℃における水溶解度：約４１００ｐｐｍ）、イミダクロプリド（２０℃における水溶解度：約５１０ｐｐｍ）、フェノブカルブ（ＢＰＭＣ、２０℃における水溶解度：約６１０ｐｐｍ）等の２０℃における水溶解度が５００ｐｐｍ以上のものが、本発明の毒餌剤に配合する殺虫剤として適している。
【００１６】
＜製剤＞
本発明における毒餌剤は、使用時における糖度（Ｂｒｉｘ）が４０以上８３未満の範囲であればよく、製剤化したもの、さらには、製剤化したものを水で希釈したものが含まれる。製剤型としては、例えば、油剤、乳剤、水和剤、フロアブル剤（水中懸濁剤、水中乳濁剤等）等の液状製剤のほか、ゲル剤、ペースト剤、マイクロカプセル剤、粉剤、粒剤、錠剤等の固形製剤が挙げられる。中でも、液状製剤はハチが喫食しやすいため好適である。さらに、水で希釈しやすく、溶け残りが少ない点においても好適である。希釈に使用する水としては、精製水、水道水、イオン交換水、蒸留水、ろ過処理した水、滅菌処理した水、地下水、井戸水等が用いられる。
本発明の毒餌剤は、スポンジ、吸水性ポリマー等のポリマー、脱脂綿、天然繊維、合成繊維の不織布、織布、紙、多孔体等の担持体に含浸、付着または塗布して、容器に収納したもの、さらに、容器内に雨水等が浸入しない形態として使用することが好ましい。本発明の毒餌剤は、その糖度（Ｂｒｉｘ）が４０以上であることから、例えば、空気との接触が大きな担持体にこの毒餌剤を含浸、付着または塗布させた場合においても、カビ等の発生が大きく低減される。これにより毒餌剤の腐敗が抑制され、ハチに対する駆除効果が低下しないという効果が得られるものである。
【００１７】
＜製剤助剤＞
本発明における毒餌剤は、製剤化に際して、本発明の効果を妨げない範囲で界面活性剤を使用することができる。界面活性剤としては、非イオン性界面活性剤、陰イオン性界面活性剤、陽イオン性界面活性剤、両性界面活性剤の何れでも特に制限なく使用することができるが、中でも、非イオン性界面活性剤または陰イオン性界面活性剤が好適である。
具体的には、例えば、非イオン性界面活性剤としては、糖エステル型、脂肪酸エステル型、植物油型、アルコール型、アルキルフェノール型、ポリオキシエチレン−ポリオキシプロピレンブロックポリマー型、アルキルアミン型、ビスフェノール型、多芳香環型のものが挙げられる。陰イオン性界面活性剤としては、カルボン酸型、スルホン酸型、硫酸エステル型、リン酸エステル型のものが挙げられる。陽イオン性界面活性剤としては、アンモニウム型、ベンザルコニウム型のものが挙げられる。両性界面活性剤としては、ベタイン型のものが挙げられる。
中でも好適な非イオン性界面活性剤としては、ポリグリセリン脂肪酸エステル、ポリオキシアルキレンソルビタン脂肪酸エステル、ポリオキシアルキレンアリールエーテル、ポリアルキレングリコール脂肪酸エステル、ショ糖脂肪酸エステル、ポリオキシアルキレンヒマシ油、ポリオキシアルキレン硬化ヒマシ油等が挙げられ、好適な陰イオン性界面活性剤としては、スルホン酸塩が挙げられる。
特に好適な非イオン性界面活性剤としては、ポリグリセリン脂肪酸エステル、ポリオキシエチレンソルビタン脂肪酸エステル、ポリオキシエチレンアリールエーテル、ポリエチレングリコール脂肪酸エステル、ショ糖脂肪酸エステル、ポリオキシエチレン硬化ヒマシ油が挙げられ、特に好適な陰イオン性界面活性剤としては、アルキルスルホ酢酸塩が挙げられる。なお、これらの界面活性剤は、単独もしくは２種以上を混合したもの何れも用いることができる。
【００１８】
本発明における毒餌剤は、一般的に製剤に添加される成分を本発明の効果を妨げない範囲で含有させて製剤化することができる。一般的に製剤に添加される成分の例としては、安定化剤、防腐剤、着色料、誤飲・誤食防止剤、液体担体等が挙げられる。安定化剤の例としては、ジブチルヒドロキシトルエン（ＢＨＴ）やブチルヒドロキシアニソール（ＢＨＡ）等の酸化防止剤、アスコルビン酸等が挙げられる。防腐剤の例としては、塩化ナトリウム、ソルビン酸、ソルビン酸塩、パラヒドロキシ安息香酸エステル類、チアベンダゾール等が挙げられる。着色料としては、カラメル色素、クチナシ色素、アントシアニン色素、紅花色素、フラボノイド色素、赤色２号、赤色３号、黄色４号、黄色５号、等が挙げられる。誤飲・誤食防止剤としては、安息香酸デナトニウム等が挙げられる。
【００１９】
製剤化の際に用いられる液体担体としては、例えばアルコール類（メタノール、エタノール、イソプロピルアルコール、ブタノール、ヘキサノール、エチレングリコール等）、エーテル類（ジエチルエーテル、エチレングリコールジメチルエーテル、ジエチレングリコールモノメチルエーテル、ジエチレングリコールモノエチルエーテル、プロピレングリコールモノメチルエーテル、テトラヒドロフラン、ジオキサン等）、エステル類（酢酸エチル、酢酸ブチル、ミリスチン酸イソプロピル、乳酸エチル等）、ケトン類（アセトン、メチルエチルケトン、メチルイソブチルケトン、シクロヘキサノン等）、芳香族または脂肪族炭化水素類（キシレン、トルエン、アルキルナフタレン、フェニルキシリルエタン、ケロシン、軽油、ヘキサン、シクロヘキサン等）、ハロゲン化炭化水素類（クロロベンゼン、ジクロロメタン、ジクロロエタン、トリクロロエタン等）、ニトリル類（アセトニトリル、イソブチロニトリル等）、スルホキシド類（ジメチルスルホキシド等）、ヘテロ環系溶剤（スルホラン、γ−ブチロラクトン、Ｎ−エチル−２−ピロリドン、Ｎ−オクチル−２−ピロリドン、１，３−ジメチル−２−イミダゾリジノン）、酸アミド類（Ｎ，Ｎ−ジメチルホルムアミド、Ｎ，Ｎ−ジメチルアセトアミド等）、炭酸アルキリデン類（炭酸プロピレン等）、植物油（大豆油、綿実油等）、植物精油（オレンジ油、ヒソップ油、レモン油等）、および水が挙げられる。
【００２０】
＜ハチ毒餌剤容器＞
本発明における毒餌剤は、容器に収納して使用することが好ましい。
収納する容器は、本発明における毒餌剤を内部に収容できる形態であれば形状や大きさ等は制限されず、使用場所や使用方法に合った形態であればよい。この容器の材質としては、例えば、ガラス、金属、プラスチック等のほか、本発明における毒餌剤が、容器から漏出することがない防水や撥水機能を有する特殊紙などの材質であれば特に制限されない。
容器の態様の１例として、容器の開口部を覆う蓋を有し、この蓋または容器の何れかにハチが侵入する開口部が形成されていると良い。ハチが容器内に侵入しやすいように、複数の開口部を容器に形成することが良いが、その数は容器の大きさにもよるが２個以上５個以下の開口部を形成することが好ましい。また、容器内に侵入したハチが、本発明における毒餌剤を喫食したのち、容易に容器外に出られる形状であることが好ましい。
容器は、透明又は半透明の窓相当部を設けたもの、もしくは透明または半透明の容器としてもよい。
ハチ毒餌剤容器を野外に設置する場合、雨水等が浸入して本発明における毒餌剤が希釈され、ハチ駆除効果が低下することを防止するために、開口部に対し空間を有しつつ雨水等の浸入を防止する覆い部を備える態様が好ましい。
本発明における毒餌剤を収納した容器は、なるべく直射日光の当たらない、または容器の入り口がふさがらないような、地面やベランダなどの平坦な場所に置いて使用するか、当該平坦な場所の平坦面から１〜３ｍの高さの範囲に吊るして使用することが好ましい。
【００２１】
＜ハチ毒餌剤容器の具体例＞
図１、２を参照しながら、本発明の毒餌剤の収納に適したハチ毒餌剤容器１の構成について説明する。ハチ毒餌剤容器１は、ハチが侵入し易いと同時に人の指が本発明の毒餌剤に触れにくくなるよう、またハチ毒餌剤の有効期間を延ばすことができるように構成した。
ハチ毒餌剤容器１は、下容器１０（容器本体：底面１０１、側面１０２、突起１０３、開口部１０５）と、中蓋２０と、傘３０と、吸液性部材４０とを備える。
【００２２】
中蓋２０は、下容器１０の外側に係合し、下容器１０と固定可能に構成されている。中蓋２０の中央には、下容器１０に連通するハチ出入口２１（開口）が形成されている。また、中蓋２０には、ハチが停留するためのハチ停留ポート２２が形成されている。ハチ停留ポート２２は、その外縁よりも内側が高くなるように傾斜（ハチ停留ポート２２の外縁から中央側に向かうに従い高さが大きくなるように傾斜）している。ハチは、負の走地性、即ち、生物が重力と反対の方向に進行する性質を有すると説明される場合がある。傾斜面２２Ａ（外縁からハチ出入口２１までの距離Ｄ４）を設けることにより、ハチのハチ毒餌剤容器１内への歩行を促進させることが可能になる。なお、図1に示されるように、隣接する傾斜面２２Ａ間には、径方向に延在する溝Ｇを設けてもよい。溝Ｇにより、ハチが脚を引っ掛けることが可能になるため、ハチが傾斜面２２Ａを登ることを補助することが可能になる。傾斜面２２Ａには、凸部又は凹凸を設けてもよい。
【００２３】
傾斜面２２Ａを設けることにより、傘３０と中蓋２０の隙間から人の指が差し込まれた場合、差し込まれた指は傾斜面２２Ａに接触して斜め上方に誘導される。そのため、下容器１０内の下方に収納される吸液性部材４０と離れる方向に指を誘導することが可能になる。また、指の関節を曲げようとしても指が傘３０に当たって曲がりづらくなり、吸液性部材４０に触れにくくすることが可能になる。
更に、傾斜面２２Ａを設けることによって、ハチ毒餌剤容器１を通過する風は、傾斜面２２Ａに沿って上方に誘導される。このため、風が吸液性部材４０に直接当たることを抑制することが可能になり、吸液性部材４０に含浸された毒餌剤の揮散量の変動を抑え、ひいては、吸液性部材４０の使用可能期間の変動を抑えることが可能になる。
また、ハチ停留ポート２２は、下容器１０の外周面よりも径方向外側に張り出すように形成されている。このようにハチ停留ポート２２を張り出すように設けることで、ハチが停留し易くなり、中蓋２０の中央に形成されたハチ出入口２１を通して、ハチは下容器１０内部に侵入することができる。
なお、中蓋２０の周辺部には、傘３０の下端（側壁部３２の下端）を係合するための係合穴部２３が複数形成されている。
【００２４】
傘３０は、ハチ出入口２１の上方を覆うように、中蓋２０に係合される。傘３０が中蓋２０に係合されることで、ハチ出入口２１を通して外部に露出する吸液性部材４０が傘３０によって上方側から覆われ、外部から吸液性部材４０に水等（例えば雨）が直接あたることを抑制することができる。また上述の中蓋２０の傾斜面２２Ａによっても水等が下容器１０内に入り込むことを抑制することができる。傘３０には、ハチ出入口２１とハチ毒餌剤容器１外部とを連通するアーチ型開口部３１が設けられている。ハチ停留ポート２２に停留したハチは、アーチ型開口部３１からハチ毒餌剤容器１の内部（傘３０の内部）に入り、更にハチ出入口２１から下容器１０の内部に入ることができる。なお、アーチ型開口部３１の両側に位置する側壁部３２が中蓋２０に係合して傘３０と中蓋２０とが固定される。ここで、中蓋２０の傾斜面２２Ａを基準とするアーチ型開口部３１の高さ（傾斜面２２Ａと、アーチ型開口部３１の中間部との鉛直方向の距離）は、１０ｍｍ以上３５ｍｍ以下であることが好ましく、１０ｍｍ以上３０ｍｍ以下であることが更に好ましい。中蓋２０からのアーチ型開口部３１の高さが１０ｍｍ以上の場合、スズメバチのような大型のハチであっても、ハチ毒餌剤容器１内に侵入することが可能になる。一方で、中蓋２０とアーチ型開口部の高さが３５ｍｍより大きいと、人の指が本発明の毒餌剤に触れやすくなってしまう。また、ハチ以外の大型昆虫が侵入してしまう。
なお、傘３０の上面には、ハチ毒餌剤容器１を外部の部材に引っ掛けて配置するための掛止部３５が設けられている。
【００２５】
吸液性部材４０は、ハチに喫食させるための本発明の毒餌剤が含浸された含浸体である。
図２に示すように、吸液性部材４０には、本体部（吸液性部材本体）の上面４０ａ側から下面に向かう方向に延在した孔４２（凹部）が形成されている。孔４２は、吸液性部材４０のみに形成される態様に限定されず、例えば、吸液性部材４０と下容器１０との間に形成されてもよく、また、下容器１０のみに形成されてもよい。なお、孔４２が下容器１０のみに形成される場合には、吸液性部材４０の周縁に沿うように形成されていると、孔４２の内部に侵入したハチが吸液性部材４０に含浸された本発明の毒餌剤を喫食できるので好適である。
【００２６】
孔４２は、その内部にハチが侵入するための開口形状、言い換えれば、内部にハチの頭が入る程度の開口を有している。具体的には、孔４２の直径は、５〜３０ｍｍの範囲であることが好適である。孔４２の直径が３０ｍｍより大きいと孔４２の内部が乾燥しやすくなり、孔４２の直径が５ｍｍより小さいと孔４２の内部にハチの頭が入りにくくなる。ハチは巣穴に首を突っ込む習性がある（例えばスズメバチやアシナガバチは巣穴にいる幼虫から栄養液を口移しで貰うために巣穴に頭を突っ込む（孔４２の下方側に濃い液体が溜まっている場合、スズメバチやアシナガバチは頭を突っ込んで孔４２の下方側の液体を舐める）習性がある）ため、この習性を利用して、孔４２の内部に含まれる本発明の毒餌剤をハチが喫食する。そのため、吸液性部材４０の上面４０ａ側が乾燥したとしても、このようなハチの習性を利用して、吸液性部材４０に形成された孔４２の内部に保持されている本発明の毒餌剤をハチが喫食するので、毒餌剤の有効期間を延ばすことができる。
孔４２は、吸液性部材４０の上面４０ａ側から下面側に向かう方向に延びて形成されているが、その延在方向は、任意の方向を含む。
また、孔４２は、ハチの頭が入る程度の開口を有していれば、吸液性部材４０を貫通していなくてもよい。たとえば、吸液性部材４０の厚さの半分以上であると、比較的乾燥しやすい上面４０ａ側と比較して乾燥しにくい下面側に含まれる本発明の毒餌剤をハチが喫食することができるので好適である。
以上、図１、２を参照しながら、ハチ毒餌剤容器１の具体的態様を説明したが、大きさ、形状、配置、数などはこれに限定されず、目的に応じて適宜変更することができる。
【００２７】
本発明の糖度（Ｂｒｉｘ）４０以上８３未満の範囲の毒餌剤は、ハチの巣から１メートルより離れ、かつ、ハチの動線から３メートル以内の範囲に配置することにより、当該毒餌剤をハチが新しい餌もしくは新しい餌場として早い時点で認識するため、結果として、ハチの巣全体を早期に崩壊させることができるため好ましい。この好適な配置は、ハチの巣から１メートル以内に毒餌剤を配置すると、新たに出現した人工物である毒餌剤にハチが警戒して近づきにくいこと、また、ハチの動線から３メートルより離れた場所に毒餌剤を配置すると、ハチが毒餌剤を新しい餌もしくは新しい餌場として認識するまでに非常に時間がかかることなどに起因すると考えられる。
すなわち、本発明の毒餌剤を、ハチの巣から１メートルより離れ、かつ、ハチの動線から３メートル以内の範囲に配置することにより、ハチが当該毒餌剤に早期に到達して巣への毒餌剤の運搬が促進され、結果として、ハチの巣全体が早期に崩壊するものと推察している。
なお、本発明における「ハチの動線」とは、ハチの巣を起点としてハチが巣と従来からの餌場を往来する軌跡を意味する。
【実施例】
【００２８】
以下、試験検体調製例および試験例等により、本発明をさらに詳しく説明するが、本発明は、これらの例に限定されるものではない。
なお、実施例において、特に明記しない限り、部は重量部を意味する。【００２９】
＜毒餌剤の糖度（Ｂｒｉｘ）による喫食性の確認試験＞
（１）試験検体の調製
下記表１に示す糖度（Ｂｒｉｘ）のフルクトース水溶液を、３種類調製して試験検体２〜４とした。また、水のみの糖度（Ｂｒｉｘ）０の検体を試験検体１とした。
（２）試験方法について
上記（１）の試験検体１〜４それぞれ１．７ｇを、８５ｍｍ×８０ｍｍの脱脂綿を四つ折りにしたものに含浸させて、円形容器（直径４０ｍｍ×高さ３５ｍｍ）に充填したものを、ＫＰカップ（直径１３０ｍｍ×高さ１００ｍｍ）に載置した。この中に、供試虫（セグロアシナガバチ）１頭を入れて１時間観察し、１回当たりの喫食時間（秒）の平均値を計測した。
試験検体１〜４について、その糖度（Ｂｒｉｘ）と各喫食時間（秒）を、下記表１にまとめて示す。【００３０】
【表１】
2021039757.tif 000002
【００３１】
表１に示す結果より、糖度（Ｂｒｉｘ）を４０以上（試験検体３、４）とすることにより、飛躍的に喫食性が向上することが明らかとなった。さらに、糖度（Ｂｒｉｘ）を６０以上（試験検体４）とすることにより、糖度（Ｂｒｉｘ）４０（試験検体３）に比べて、３倍以上喫食性が向上することも確認された。
この喫食性の向上は、ハチが良い餌または新たな餌場として認識したということであり、喫食したハチが巣にエサを運搬し、巣の中にいる他のハチに口移しでこのエサを与える（伝播）ことが考えられる。このことを、次の試験で確認した。【００３２】
＜伝播確認試験１＞
（１）試験検体の調製
上記「毒餌剤の糖度（Ｂｒｉｘ）による喫食性の確認試験」で使用した、試験検体２〜４を使用した。
（２）試験方法
８５ｍｍ×８０ｍｍの脱脂綿にイミダクロプリド０．０１重量％のエタノール溶液２ｇを滴下し乾燥させた後、試験検体２〜４それぞれ４ｇを含浸させ、一晩絶食させた供試虫（ミツバチ♀）１頭に喫食させた。次いで、喫食させた供試虫を金属ケージ（２５ｃｍ×２５ｃｍ×２５ｃｍ）に入れ、そこに表２に示す「追加ハチ数」の追加ハチ（ミツバチ：供試虫と同じ巣に生息するもの）を入れた。１４時間後に金属ケージ内の致死した追加ハチの数（「追加ハチの致死ハチ数」）を確認した。試験は、室温（２５℃）条件で実施した。
試験検体２〜４について、その糖度（Ｂｒｉｘ）と、追加ハチ数、追加ハチの致死ハチ数および追加ハチの致死率（％）を、下記表２にまとめて示す。
なお、一晩絶食させた供試虫は、全ての試験において致死が確認された。【００３３】
【表２】
2021039757.tif 000003
【００３４】
表２に示す結果より、糖度（Ｂｒｉｘ）が４０以上の試験検体３、４は、併用したイミダクロプリドにより喫食した供試虫だけではなく、あとから追加した追加ハチに対しても高い致死効果が得られることが明らかとなった。これは、試験検体３、４を喫食した供試虫が、あとから追加した追加ハチに口移しでこの試験検体を与えた（伝播）ため、試験検体３、４を喫食していないあとから追加した追加ハチにも高い致死効果が発現したものと考えられる。
一方、糖度（Ｂｒｉｘ）が２０の試験検体２は、あとから追加した追加ハチに対して、併用したイミダクロプリドによる致死効果が全く得られなかった。
この試験結果から、糖度（Ｂｒｉｘ）を４０以上（試験検体３、４）とすることにより、ハチが良い餌または新たな餌場として認識し、喫食したハチが他のハチに口移しでこのエサを与える（伝播）ことが明らかとなった。
ハチが良い餌または新たな餌場として認識した場合、喫食したハチが巣の中にいる他のハチに口移しでこのエサを与える（伝播）ために、巣に餌を運搬すると考えられるので、毒餌剤の糖度（Ｂｒｉｘ）を４０以上とすることにより、ハチがこの餌を巣に運搬することを促進させ得るものといえる。【００３５】
＜伝播確認試験２＞
（１）試験検体の調製
糖度（Ｂｒｉｘ）６０、８０、８３のフルクトース水溶液をそれぞれ調製して、試験検体５〜７とした。
（２）試験方法
８５ｍｍ×８０ｍｍの脱脂綿にイミダクロプリド０．０１重量％のエタノール溶液２ｇを滴下し乾燥させた後、試験検体５〜７それぞれ４ｇを含浸させ、一晩絶食させた供試虫（ミツバチ♀）１頭に喫食させた。次いで、喫食させた供試虫を金属ケージ（２５ｃｍ×２５ｃｍ×２５ｃｍ）に入れ、そこに表３に示す「追加ハチ数」の追加ハチ（ミツバチ：供試虫と同じ巣に生息するもの）を入れた。１４時間後に金属ケージ内の致死した追加ハチの数（「追加ハチの致死ハチ数」）を確認した。試験は、室温（２５℃）条件で実施した。
試験検体５〜７について、その糖度（Ｂｒｉｘ）と、追加ハチ数、追加ハチの致死ハチ数および追加ハチの致死率（％）を、下記表３にまとめて示す。
なお、一晩絶食させた供試虫は、全ての試験において致死が確認された。【００３６】
【表３】
2021039757.tif 000004
【００３７】
表３に示す結果より、糖度（Ｂｒｉｘ）が６０、８０の試験検体５、６は、併用したイミダクロプリドにより喫食した供試虫だけではなく、あとから追加した追加ハチに対しても高い致死効果が得られることが明らかとなった。これは、試験検体５、６を喫食した供試虫が、あとから追加した追加ハチに口移しでこの試験検体を与えた（伝播）ため、試験検体５、６を喫食していないあとから追加した追加ハチにも高い致死効果が発現したものと考えられる。
一方、糖度（Ｂｒｉｘ）が８３の試験検体７は、あとから追加した追加ハチに対して、併用したイミダクロプリドによる致死効果が全く得られなかった。
この試験結果から、糖度（Ｂｒｉｘ）を８３未満（試験検体５、６）とすることにより、ハチが良い餌または新たな餌場として認識し、喫食したハチが他のハチに口移しでこのエサを与える（伝播）ことが明らかとなった。
ハチが良い餌または新たな餌場として認識した場合、喫食したハチが巣の中にいる他のハチに口移しでこのエサを与える（伝播）ために、巣に餌を運搬すると考えられるので、毒餌剤の糖度（Ｂｒｉｘ）を４０以上８３未満の範囲とすることにより、ハチがこの餌を巣に運搬することを促進させ得るものといえる。【００３８】
＜伝播確認試験３＞
（１）試験検体の調製
上記「伝播確認試験２」の試験検体６、７の糖度（Ｂｒｉｘ）８０、８３のフルクトース水溶液を用いたほか、糖度（Ｂｒｉｘ）７０のフルクトース水溶液を調製し、これを試験検体８とした。
（２）試験方法
室内飼育されており、生息するアシナガバチ数が把握されている巣を３個使用して、試験を行った。
８５ｍｍ×３０ｍｍの脱脂綿を２つ折りにしたものに、フィプロニル０．１５重量％のエタノール溶液２ｇを滴下し乾燥させた後、試験検体６〜８それぞれ４ｇを含浸させ、供試虫（アシナガバチ）１頭に喫食させた。次いで、喫食させた供試虫を巣に戻し、１４時間後の巣内において致死したアシナガバチの数を確認した。
試験検体６〜８それぞれを喫食させた供試虫は、全て致死が確認された。
試験は、室温（２５℃）条件で実施した。
試験検体６〜８について、その糖度（Ｂｒｉｘ）と、致死したハチ数（供試虫は含まない）を巣内生息ハチ数で除した致死ハチ率（％）を、下記表４にまとめて示す。【００３９】
【表４】
2021039757.tif 000005
【００４０】
表４に示す結果のとおり、アシナガバチに対しても、糖度（Ｂｒｉｘ）が７０、８０の試験検体８、６は、併用したフィプロニルにより喫食した供試虫だけではなく、巣内のハチに対して、１４時間という短期間において高い致死効果が得られることが明らかとなった。これは、試験検体８、６を喫食した供試虫が、巣内のハチに口移しでこの試験検体を与えた（伝播）ため、高い致死効果が発現したものと考えられる。また、試験検体８、６のいずれかを喫食させた供試虫の巣では女王バチが致死しており、巣として正常な機能を維持出来ない状態となっていた。
一方、糖度（Ｂｒｉｘ）が８３の試験検体７は、巣内のハチに対して、併用したフィプロニルによる致死効果が全く得られず、巣は正常に機能していた。
この試験結果から、アシナガバチに対しても、糖度（Ｂｒｉｘ）を８３未満（試験検体８、６）とすることにより、ハチが良い餌として認識し、喫食したハチが他のハチに口移しでこのエサを与える（伝播）ことが明らかとなった。
肉食系のハチにおいても、良い餌として認識した場合、喫食した肉食系のハチが巣の中にいる他のハチに口移しでこのエサを与える（伝播）ために、巣に餌を運搬すると考えられるので、毒餌剤の糖度（Ｂｒｉｘ）を４０以上８３未満の範囲とすることにより、ハチがこの餌を巣に運搬することを促進させ得るものといえる。【００４１】
＜屋外試験１＞
（１）試験検体の調製
誘引成分（酒、酢、糖（スクロースを主成分とする）、乳酸菌飲料等）と溶剤（乳酸エチル）および水を用いて、糖度（Ｂｒｉｘ）が６３の実施例試験検体（実施例１）と、糖度（Ｂｒｉｘ）が１８の比較例試験検体（比較例１）を調製した。
また、市販されているスズメバチ誘引剤原液（株式会社ＳＨＩＭＡＤＡ社製：スズメバチバスター）を用法に従って水で希釈した糖度（Ｂｒｉｘ）が１５の比較例試験検体（比較例２）を調製した。
（２）試験方法
１７０ｍｍ×８０ｍｍの脱脂綿を二つ折りにしたもの２枚に実施例試験検体（実施例１）と比較例試験検体（比較例１、２）をそれぞれ１００ｇ含浸させたものを、市販されているハチ捕獲器の空容器（直径９０ｍｍ、高さ１２０ｍｍ、円筒型プラスチック容器）に収納した。これを、兵庫県上郡町の公園内のスズメバチの巣の近くであり、スズメバチをよく見かける場所の木（巣から約３０ｍ）に吊るして設置（ハチの動線から２ｍ離れ、地面から２ｍの高さの場所）した。設置から１ヶ月間（２０１８年９月〜１０月）、平日の１５時頃に、スズメバチの巣と試験検体を含浸させた脱脂綿を収納した容器との間を、スズメバチが往復するかを確認した。
なお、試験検体を含浸させた脱脂綿の乾燥具合を確認し、乾燥している場合は、脱脂綿が湿る程度に試験検体を随時追加した。【００４２】
（３）試験結果
糖度（Ｂｒｉｘ）が４０以上８３未満の範囲の実施例試験検体を使用した実施例１（糖度（Ｂｒｉｘ）：６３）では、スズメバチが、スズメバチの巣と実施例試験検体を含浸させた脱脂綿を収納した容器との間を、必ず１日１回以上往復することが確認された。さらに、当該容器では、スズメバチが他のスズメバチに口移しでこのエサを与える様子（伝播）も確認された。
一方、糖度（Ｂｒｉｘ）が４０より低い比較例試験検体を使用した比較例１（糖度（Ｂｒｉｘ）：１８）、比較例２（糖度（Ｂｒｉｘ）：１５）では、比較例試験検体を含浸させた脱脂綿を収納した容器に、接近するスズメバチが１頭確認されたが、巣への運搬や口移しでエサを与える様子（伝播）は全く確認されなかった。
（４）考察
上記「屋外試験１」の結果より、糖度（Ｂｒｉｘ）を４０以上８３未満の範囲とすることにより、ハチが良い餌または新たな餌場として認識し、喫食したハチが餌を巣に運搬することが明らかとなった。
上記「伝播確認試験」と同様にこの屋外試験の結果からも、ハチが良い餌または新たな餌場として認識した場合、喫食したハチが巣の中にいる他のハチに口移しでこのエサを与える（伝播）ために、巣に餌を運搬すると考えられるので、毒餌剤の糖度（Ｂｒｉｘ）を４０以上８３未満の範囲とすることにより、ハチがこの餌を巣に運搬することを促進させ得ることが改めて確認された。【００４３】
＜屋外試験２＞
（１）試験検体の調製
誘引成分（糖、蜜、乳酸菌飲料等）と溶剤（乳酸エチル）、界面活性剤（ポリオキシエチレン硬化ヒマシ油）、フィプロニルおよび水を用いて、糖度（Ｂｒｉｘ）が７１の実施例試験検体（実施例２）を調製した。
（２）試験方法
直径１３ｍｍの穴を６個開けた、直径７５ｍｍ、厚さ２０ｍｍの円柱状の不織布に、実施例試験検体（実施例２）を９０ｇ含浸させた。これを、雨水の浸入を防ぐ傘を備えた容器（直径１００ｍｍ、高さ３０ｍｍ、傘まで含めた高さ５５ｍｍ、円柱形容器）に収納した。これを、兵庫県上郡町の河川近くの桜の木に営巣されたスズメバチの巣（直径４０ｃｍ程度）の近くの木（巣から約２ｍ）に吊るして設置（ハチの動線から０．５ｍ離れ、地面から１ｍの高さの場所）した。設置後、毎日１８時頃に目視観察して、スズメバチの巣と実施例２を含浸させた不織布を収納した容器との間を、スズメバチが往復するか、さらに、巣が崩壊しているかを確認した。ここで、「巣が崩壊する」とは、５分間あたりのスズメバチの巣の出入り数がゼロになることを意味する。５分間あたりのスズメバチの出入りが無かった時点において、その巣は崩壊したと判断した。【００４４】
（３）試験結果
試験開始２日後には、実施例２を含浸させた不織布を収納した容器とスズメバチの巣との間を、スズメバチが頻繁に往復する様子が確認された。試験開始３日後には、スズメバチの巣への出入りが１頭のみとなり、試験開始４日後は、スズメバチの巣への出入りが全く確認されなかった。なお、実施例２を含浸させた不織布を収納した容器を設置する前日の１８時頃は、スズメバチの巣を出入りするスズメバチは５分間あたり４５頭であった。
この試験結果により、直径４０ｃｍ程度のスズメバチの巣が、試験検体設置から４日後に崩壊することが明らかとなった。
（４）考察
上記「屋外試験２」の結果より、毒餌剤の糖度（Ｂｒｉｘ）を４０以上８３未満の範囲とすることにより、ハチの喫食性が高まり、ハチの巣への毒餌剤の運搬を促進させることが出来るため、ハチに対する高い駆除効果が発揮され、ハチの巣全体を効率的に崩壊させ得ることが明らかとなった。【００４５】
＜屋外試験３＞
（１）試験方法
上記「屋外試験２」において、実施例試験検体（実施例２）９０ｇを含浸させ、雨水の浸入を防ぐ傘を備えた容器に収納したものを毒餌剤として使用し、下記表５に示す４個のハチの巣に対して、試験番号１〜４の配置場所に配置した。
上記毒餌剤を配置後、目視観察によりハチの巣と毒餌剤との間を、ハチが往復するか、さらに、巣が崩壊するかを確認し、配置から崩壊までの日数を計測した。ここで、「巣が崩壊する」とは、配置後の目視観察により５分間あたりのハチの巣の出入り数がゼロになることを意味する。【００４６】
（３）試験結果
【表５】
2021039757.tif 000006
【００４７】
（４）考察
上記「屋外試験３」の結果より、糖度（Ｂｒｉｘ）４０以上８３未満の範囲の毒餌剤を、ハチの巣から１メートルより離れ、かつ、ハチの動線から３メートル以内の範囲に配置することにより、当該毒餌剤をハチが新しい餌もしくは新しい餌場として早い時点で認識するため、結果として、ハチの巣を早期、毒餌剤の配置から遅くとも２週間以内に崩壊させ得ることが明らかとなった。これは、糖度（Ｂｒｉｘ）４０以上８３未満の範囲の毒餌剤を、特定の場所に配置することにより、配置から早い時期に、ハチが当該毒餌剤を新しい餌または新たな餌場として認識すること、さらには、糖度（Ｂｒｉｘ）４０以上８３未満の範囲の毒餌剤であるから、巣への毒餌剤の運搬が促進され、結果として、ハチの巣全体が早期に崩壊するものと考えられる。
【産業上の利用可能性】
【００４８】
毒餌剤の糖度（Ｂｒｉｘ）を４０以上８３未満の範囲とすることにより、ハチが良い餌または新たな餌場として認識してハチの喫食性が高まり、喫食したハチが巣の中にいる他のハチに口移しでこのエサを与える（伝播）ために、巣への毒餌剤の運搬を促進させることが出来る。また、糖度（Ｂｒｉｘ）４０以上８３未満の範囲の毒餌剤を、特定の場所に配置することにより、ハチの巣全体を早期に崩壊させ得ることができる。
すなわち、毒餌剤の糖度（Ｂｒｉｘ）を４０以上８３未満の範囲とすることにより、また、特定の場所に配置することにより、ハチに対する高い駆除効果が得られ、最終的にハチの巣全体を効率的、かつ、早期に崩壊させることができるため、本発明は極めて有用である。
【図１】
2021039757.tif 000007
【図２】
2021039757.tif 000008
【国際調査報告】
2021039757.tif 000009
2021039757.tif 000010
2021039757.tif 000011
2021039757.tif 000012